(57)【要約】【課題】良好なマルチギャップ構造の液晶装置を製造する。【解決手段】本発明の液晶装置の製造方法は、反射表示領域と透過表示領域とを有する液晶装置の製造方法である。第１基板１０を構成する基板上にスイッチング素子を形成する工程と、スイッチング素子を覆って層間絶縁膜を形成する工程と、層間絶縁膜の上面に露出し、かつスイッチング素子の電極と導通するソース電極１５を形成する工程と、層間絶縁膜及びソース電極１５を覆って保護膜１６を形成する工程と、保護膜１６を覆ってポジ型の感光性樹脂からなる樹脂膜１７ａを形成する工程と、ソース電極１５上の樹脂膜１７ａを除去して保護膜１６を露出させる工程と、透過表示領域Ｔにおける樹脂膜１７ａとソース電極１５上の保護膜１６とを一括してドライエッチングし、凹凸形成層１７を形成するとともに、ソース電極１５を露出させるエッチング工程と、を有する。【選択図】図５
2009122601.tif 000002
【特許請求の範囲】
【請求項１】
反射表示領域と透過表示領域とからなる表示領域を有し、スイッチング素子に接続された画素電極を有する第１基板と、該第１基板に対向配置された第２基板と、前記第１基板及び前記第２基板の間に挟持された液晶層とを備えた液晶装置の製造方法であって、
前記第１基板を構成する基板上にスイッチング素子を形成する工程と、
前記スイッチング素子を覆って層間絶縁膜を形成する工程と、
前記層間絶縁膜の表面に露出し、かつ前記スイッチング素子の電極と導通するソース電極を形成する工程と、
前記層間絶縁膜及びソース電極を覆って保護膜を形成する工程と、
前記保護膜を覆ってポジ型の感光性樹脂からなる樹脂膜を形成する工程と、
前記ソース電極上の樹脂膜を除去して、該ソース電極上の保護膜を露出させる工程と、
前記透過表示領域における前記樹脂膜と前記ソース電極上の保護膜とを一括してドライエッチングし、前記透過表示領域の樹脂膜を薄くしてマルチギャップ構造を構成する凹凸形成層を形成するとともに、前記ソース電極を露出させるエッチング工程と、
前記反射表示領域の樹脂膜と及び前記透過表示領域の樹脂膜と露出した前記ソース電極とを覆って画素電極を形成する工程と、を有することを特徴とする液晶装置の製造方法。
【請求項２】
前記保護膜を露出させる工程では、ウエットエッチングにより前記ソース電極上の樹脂膜を除去するとともに、反射表示領域の樹脂膜の表層を部分的に除去して、反射表示領域の樹脂膜の上面を波面状とすることを特徴とする請求項１に記載の液晶装置の製造方法。
【請求項３】
前記第２基板を構成する基板における前記反射表示領域と透過表示領域との境界部分を覆って、遮光部を形成することを特徴とする請求項１又は２に記載の液晶装置の製造方法。
【請求項４】
前記エッチング工程では、エッチングガスとして第１ガスと、該第１ガスよりも前記ソース電極に対する前記樹脂膜の選択比が高い前記第２ガスと、を含有する混合ガスを用いるとともに、該混合ガスにおける前記第１ガスと前記第２ガスとの混合比を時間変化させながらドライエッチングすることを特徴とする請求項１〜３のいずれか一項に記載の液晶装置の製造方法。
【請求項５】
前記ソース電極を形成する工程では、上面側がチタン又は窒化チタンからなるソース電極を形成し、かつ前記保護膜を形成する工程では、シリコン窒化物又はシリコン酸化物からなる保護膜を形成し、かつ前記樹脂膜を形成する工程では、アクリル系樹脂からなる樹脂膜を形成し、かつ前記エッチング工程では、六フッ化硫黄及び酸素含有の混合ガスをエッチングガスとしドライエッチングすることを特徴とする請求項１〜４のいずれか一項に記載の液晶装置の製造方法。
【発明の詳細な説明】
【技術分野】
【０００１】
本発明は、液晶装置の製造方法に関する。
【背景技術】
【０００２】
液晶装置は、パーソナルコンピュータや携帯電話等の表示部として幅広く用いられており、自発光型の有機ＥＬ装置等と異なり表示用の光を必要とすることが知られている。表示用の光としては、液晶装置外部の照明光や自然光、液晶装置内部の光源光等がある。外部光を用いる液晶装置は反射型と呼ばれており、内部光を用いるものは透過型と呼ばれている。反射型は、低消費電力である点で有利であり、透過型は、暗所でも表示可能である点で有利である。近年、反射型と透過型とを併用した反射半透過型が考えられており、双方の利点を兼ね備えた液晶装置として注目されている。
【０００３】
反射半透過型の液晶装置は、表示側から入射した外部光を液晶層で変調するとともに表示側に反射する反射表示領域と、液晶等の表示側の反対側に設けられたバックライト等からの内部光を液晶層で変調するとともに液晶層を透過させて表示側に射出する透過表示領域とを有している。反射表示領域では、光が反射前と反射後の２回変調されるのに対し、透過表示領域では、光が透過時に１回だけ変調される。そこで、液晶層の厚さを反射表示領域と透過表示領域とで異ならせて、リタデーションを反射表示領域と透過表示領域とで同じにするマルチギャップ構造が考えられている（例えば特許文献１）。
【０００４】
マルチギャップ構造は、液晶層を挟持する一対の基板、例えばＴＦＴ基板とカラーフィルタ基板のうち片方に、反射表示領域で液晶層側に凸となる凸部を形成することで実現されている。すなわち、反射表示領域の液晶層は、透過表示領域の液晶層よりも凸部の分だけ薄くなっており、ここを２回通る光と透過表示領域側を１回通る光とで光路差が無くなるようになっている。
【０００５】
ところで、カラーフィルタ基板側に凸部を設けた場合には、ＴＦＴ基板とカラーフィルタ基板とを貼合せた際の位置ずれにより表示品質が低下するおそれがある。例えば、ＴＦＴ基板に設けられた反射膜と、カラーフィルタ基板に設けられた凸部とに位置ずれを生じると、凸部の非形成領域（厚い液晶層）を通った光が反射されて光路が２倍になってしまう不具合や、反射膜の非形成領域を通った光が凸部の形成領域（薄い液晶層）を通り光路が半分になってしまう不具合がある。これら不具合は、射出光に位相差のばらつきを生じさせるため、コントラスト低下等の原因となってしまう。また、位置ずれを考慮して遮光膜を設けると、遮光膜が大きくなってしまい開口率が低下してしまう。このような理由により、ＴＦＴ基板に反射膜及び凸部を設ければ、貼合わせ時の位置ずれによる表示品質の低下を防止することができると考えられる。
【０００６】
ＴＦＴ基板に反射膜及び凸部を設ける場合に、反射膜と凸部とは必然的に互いに重なり合うように配置される。また、反射膜の上面を滑らかな波面状とすれば、反射表示領域の表示ムラが低減されることが知られている。これらの事情から、ＴＦＴ基板上の反射表示領域に、上面が波面状の凸部を形成しこの上に反射膜を形成して、反射膜の上面を波面状にしている。凸部は、滑らかな形状に加工しやすいポジ型の感光性樹脂で形成されている。具体的には、ＴＦＴ基板上の全面にポジ型の感光性樹脂を成膜した後、例えばこの膜の反射表示領域側をハーフ露光するとともに、透過表示領域側を露光する。この膜を現像（ウエットエッチング）すると、透過表示領域側が薄厚化されて反射表示側が凸部となるとともに、凸部の表層が部分的に除去されて滑らかな波面状となる。
【特許文献１】特開２００５−２４１９７２号公報
【発明の開示】
【発明が解決しようとする課題】
【０００７】
しかしながら、前記のような良好な反射膜を形成しようとすれば、凸部が良好な形状とならずに、表示品質を向上させる妨げとなる場合がある。すなわち、凸部の周縁部においてその上面は、反射表示領域から透過表示領域側に連続した斜面となっている。斜面上では、液晶分子の方位角を良好に制御することができないため、この部分を表示に寄与させることができない。ところが、滑らかな形状（波面状）に加工しやすい材料で凸部を形成すると、凸部の周縁部も滑らかな形状となってしまい、ここが緩やかな斜面となってしまう。斜面が緩やかになると、表示に寄与しない部分の面積が大きくなり、表示品質が低下してしまう。また、遮光膜により表示に寄与しない部分を隠す場合には、遮光膜の面積が大きくなり、開口面積が小さくなることや、明色（端的には白）を表示しようとしても遮光膜によりコントラストが低下してしまうこと等の不都合を生じてしまう。
【０００８】
本発明は、前記事情に鑑み成されたものであって、表示品質が高く良好な液晶装置を、効率よく製造することができる方法を提供することを目的の一つとする。
【課題を解決するための手段】
【０００９】
本発明の液晶装置の製造方法は、反射表示領域と透過表示領域とからなる表示領域を有し、スイッチング素子に接続された画素電極を有する第１基板と、該第１基板に対向配置された第２基板と、前記第１基板及び前記第２基板の間に挟持された液晶層とを備えた液晶装置の製造方法であって、前記第１基板を構成する基板上にスイッチング素子を形成する工程と、前記スイッチング素子を覆って層間絶縁膜を形成する工程と、前記層間絶縁膜の上面に露出し、かつ前記スイッチング素子の電極と導通するソース電極を形成する工程と、前記層間絶縁膜及びソース電極を覆って保護膜を形成する工程と、前記保護膜を覆ってポジ型の感光性樹脂からなる樹脂膜を形成する工程と、前記ソース電極上の樹脂膜を除去して、該ソース電極上の保護膜を露出させる工程と、前記透過表示領域における前記樹脂膜と前記ソース電極上の保護膜とを一括してドライエッチングし、前記透過表示領域の樹脂膜を薄くしてマルチギャップ構造を構成する凹凸形成層を形成するとともに、前記ソース電極を露出させるエッチング工程と、前記反射表示領域の樹脂膜と及び前記透過表示領域の樹脂膜と露出した前記ソース電極とを覆って画素電極を形成する工程と、を有することを特徴とする。
【００１０】
ソース電極上の保護膜をドライエッチングする処理は通常行われる処理であり、前記エッチング工程では、透過表示領域における樹脂膜とソース電極上の保護膜とを一括してドライエッチングするので、工程数を増やすことなく樹脂膜をドライエッチングすることができる。ドライエッチングによれば、ウエットエッチングよりも高度な異方性でエッチングすることができる。したがって、露光及び現像（ウエットエッチング）で形成する場合よりも、前記凹凸形成層の上面において反射表示領域から透過表示領域に連なる斜面が、第１基板の基板面に対して高角度をなすようにエッチングすることができる。これにより、前記斜面の第１基板への投影面積が小さくなるので、表示に寄与しない部分の面積が小さくなり、液晶装置の表示品質を向上させることができる。以上のように、本発明によれば、工程数を増やすことなく、表示品質が高い良好な液晶装置を製造することができる。
【００１１】
また、前記保護膜を露出させる工程では、ウエットエッチングにより前記ソース電極上の樹脂膜を除去するとともに、反射表示領域の樹脂膜の表層を部分的に除去して、反射表示領域の樹脂膜の上面を波面状とすることが好ましい。
このようにすれば、工程数を増やすことなく反射表示領域の樹脂膜の表面を凹凸形状とすることができる。また、ウエットエッチング（現像）により樹脂膜の表層を部分的に除去すれば、前記凹凸形状を滑らかな波面状とすることもできる。表面を波面状とした樹脂膜上、あるいはこれを加工したエッチング工程後の凹凸形成層上に、アルミニウムや銀等の反射膜材料を成膜すれば、上面が波面状の反射膜を形成することができる。このような反射膜は、入射光を反射するとともに散乱するので、反射光の強度が均一となり表示ムラを減らすことができる。
【００１２】
また、前記第２基板を構成する基板における前記反射表示領域と透過表示領域との境界部分を覆って、遮光部を形成することが好ましい。
前記のように凹凸形成層は反射表示領域から透過表示領域に連なる部分の上面が斜面になっており、この部分上では液晶分子の配向の乱れを生じるが、遮光部を形成することにより配向の乱れを隠すことができる。本発明によれば、前記斜面の第１基板への投影面積を小さくすることができるので、前記斜面を隠す遮光部の面積も小さくすることができる。これにより、遮光部自体によるコントラスト低下の程度や、開口率低下の程度を小さくすることができ、表示品質を向上させることができる。
【００１３】
また、前記エッチング工程では、エッチングガスとして第１ガスと、該第１ガスよりも前記ソース電極に対する前記樹脂膜の選択比が高い前記第２ガスと、を含有する混合ガスを用いるとともに、該混合ガスにおける前記第１ガスと前記第２ガスとの混合比を時間変化させながらドライエッチングすることもできる。
このようにすれば、例えばソース電極が露出した後に第２ガスの混合比を高くすることにより、第１ガスのみを用いる場合よりもソース電極のオーバーエッチ量を減らすことができ、良好なソース電極とすることができる。また、第１ガスの種類に関らずソース電極のオーバーエッチ量を減らすことができるので、第１ガスの選択自由度が高くなる。これにより、効率よくドライエッチングを行うことが可能となる。
【００１４】
前記ソース電極を形成する工程では、上面側がチタン又は窒化チタンからなるソース電極を形成し、かつ前記保護膜を形成する工程では、シリコン窒化物又はシリコン酸化物からなる保護膜を形成し、かつ前記樹脂膜を形成する工程では、アクリル系樹脂からなる樹脂膜を形成し、かつ前記エッチング工程では、六フッ化硫黄及び酸素含有の混合ガスをエッチングガスとしドライエッチングしてもよい。
このようにすれば、前記エッチングガスは、前記樹脂膜に対するエッチングレートと前記保護膜に対するエッチングレートとがともに高いので、これらを効率よくエッチングすることができる。また、前記エッチングガスは、前記ソース電極に対する前記樹脂膜の選択比が極めて高いので、前記ソース電極をストッパーとして機能させてドライエッチングを行うことができる。また、前記エッチングガスは、六フッ化硫黄（第１ガス）と酸素（第２ガス）との混合比を変化させることにより、前記ソース電極に対する前記樹脂膜の選択比を変化させることができる。これにより、良好にドライエッチングすることができるとともに、良好なソース電極とすることができる。
【発明を実施するための最良の形態】
【００１５】
以下、本発明の一実施形態を説明するが、本発明の技術範囲は以下の実施形態に限定されるものではない。以降の説明では図面を用いて各種の構造を例示するが、構造の特徴的な部分を分かりやすく示すために、図面中の構造はその寸法や縮尺を実際の構造に対して異ならせて示す場合がある。なお、本発明に係る液晶装置の製造方法の説明に先立ち、これにより得られる液晶装置の一例を説明する。
【００１６】
図１は、本例の液晶装置１００を構成する画素２００の回路構成図である。画素２００はマトリックス状に多数配置されており、図１に示すように、それぞれの画素２００には、画素電極９とＴＦＴ３０とが形成されている。ＴＦＴ３０は、画素２００のスイッチング制御を行うスイッチング素子である。ＴＦＴ３０のソースには、データ線駆動回路（図示略）から延びるデータ線６ａが電気的に接続されており、ＴＦＴ３０のドレインには画素電極９が電気的に接続されている。データ線駆動回路は、データ線６ａを介して画像信号Ｓ１、Ｓ２、…、Ｓｎを各画素２００に供給する。
なお、フルカラー表示の電気光学装置にあっては、フルカラー表示の最小単位が複数の単色表示単位、例えば赤、青、緑からなっている場合がある。この場合に単色表示単位と対応する画素がサブ画素と称される場合もある。すなわち、フルカラー表示の液晶装置である場合に、画素２００はサブ画素と称される場合もある。
【００１７】
ＴＦＴ３０のゲートには、走査線駆動回路（図示略）から延びる走査線３ａが電気的に接続されている。走査線駆動回路から所定のタイミングで走査線３ａにパルス的に供給される走査信号Ｇ１、Ｇ２、…、Ｇｍは、この順に線順次でＴＦＴ３０のゲートに印加されるようになっている。ＴＦＴ３０のゲートに走査信号Ｇ１〜Ｇｍが印加されると、ＴＦＴ３０のゲートとソースの間が一定期間オンとなり、データ線６ａから供給される画像信号Ｓ１〜Ｓｎが、所定のタイミングで画素電極９に書き込まれるようになっている。
【００１８】
画素電極９は、後述する共通電極と対向しており、画素電極９と共通電極との間には液晶容量が形成される。また、画素２００には、走査線３ａに平行して設けられた容量線３ｂに接続されるとともに、ＴＦＴ３０のドレインと画素電極９との間に接続された蓄積容量７０設けられている。前記液晶容量と蓄積容量７０は並列接続となっており、画素電極９に書き込まれた所定レベルの画像信号Ｓ１〜Ｓｎは、液晶容量と蓄積容量７０とに一定期間保持される。蓄積容量７０が併設されていることにより、液晶容量に保持された画像信号がリークしないようになっている。
【００１９】
図２は、画素２００の一つを拡大して示す平面構成図である。本例の画素２００は、走査線３ａ及びデータ線６ａに囲まれる略長方形形状の部分であり、ここではその短辺に平行な方向をＸ方向とし、その長辺に平行な方向をＹ方向とする。画素２００は、Ｙ方向に順に並んだ反射表示領域Ｒ及び透過表示領域Ｔを有しており、本例では後述する第２基板に設けられた遮光部により、反射表示領域Ｒと透過表示領域Ｔとの間が非表示領域Ｂとなっている。ここでは、いずれの領域も略長方形状となっており、Ｙ方向のうち反射表示領域Ｒが位置する側をＹ負方向、透過表示領域Ｔが位置する側をＹ正方向とする。
画素２００は、反射表示領域Ｒ、非表示領域Ｂ、及び透過表示領域Ｔにわたって設けられた画素電極９と、反射表示領域Ｒに設けられた反射層２９と、を備えている。また、画素２００の間隙には、後述する第１基板と第２基板とを所定間隔で離間した状態に保持するための柱状スペーサ４０が立設されている。
【００２０】
画素電極９は、ＩＴＯ（インジウム錫酸化物）等の透明導電材料からなるものであり、反射層２９は、アルミニウムや銀等の光反射性の金属膜や、屈折率の異なる誘電体膜（ＳｉＯ２とＴｉＯ２等）を積層した誘電体積層膜（誘電体ミラー）からなるものである。ここでは、反射層２９は、Ｘ方向に並ぶ複数の画素２００にわたって設けられている。なお、画素電極９と反射層２９とを併設する構成の他、透明導電材料からなる透明電極と、光反射性の金属材料からなる反射電極とが平面的に区画されている構成、即ち、透過表示領域Ｔに対応して配置された透明電極と、反射表示領域Ｒに対応して配置された反射電極とを備え、両電極が互いに導通している構成も採用することができる。この場合、透明電極と反射電極とが共通電極との間に電界を生じさせる画素電極を構成する一方、反射電極は反射表示領域Ｒの反射層としても機能する。
【００２１】
また、画素２００に近接して、Ｙ方向に延びるデータ線６ａと、Ｘ方向に延びる走査線３ａと、走査線３ａに隣接して走査線３ａと平行に延びる容量線３ｂとが形成されている。データ線６ａと走査線３ａとの交差部の近傍にＴＦＴ３０が設けられている。ＴＦＴ３０は、走査線３ａの平面領域内に部分的に形成された島状のアモルファスシリコン膜からなる半導体層３５と、半導体層３５と一部平面的に重なって形成されたソース６ｂと、ドレイン３２と、を備えている。走査線３ａは半導体層３５と平面的に重なる位置でＴＦＴ３０のゲートとして機能する。
【００２２】
ＴＦＴ３０のソース６ｂは、データ線６ａから分岐されて半導体層３５に延びる平面視略Ｌ形状となっており、ドレイン３２は、半導体層３５上から画素電極９側に延びて矩形状の容量電極３１と電気的に接続されている。容量電極３１上は、画素電極９のコンタクト部が配置されており、双方が平面的に重なる位置に設けられた画素コンタクトホール４５を介して容量電極３１と画素電極９とが電気的に接続されている。また容量電極３１は、容量線３ｂの平面領域内に配置されており、この位置で厚さ方向に対向する容量電極３１と容量線３ｂとを電極とする蓄積容量が形成されている。
【００２３】
図３は、図２のＡ−Ａ’線に沿う部分断面構成図である。液晶装置１００は、互いに対向して配置された第１基板１０及び第２基板２０と、これらの基板間に挟持された液晶層５０と、を備えて構成されている。第１基板１０の端部と第２基板２０の端部とは、シール材（図示略）によって貼り合わせられており、液晶層５０は、これらの基板間に封止されている。第１基板１０の外面側（液晶層５０と反対側）には、位相差板７１、及び偏光板１４が設けられており、第２基板２０の外面側には位相差板７２、及び偏光板２４が設けられている。偏光板１４の外面側には、光源、導光板、及び反射板等からなるバックライト（照明装置）６１が設けられている。
【００２４】
第１基板１０は、ガラスや石英、プラスチック等からなる透明基板１１を基体としてなり、透明基板１１の内面側には、走査線３ａ及び容量線３ｂが形成されており、走査線３ａ及び容量線３ｂを覆ってゲート絶縁膜１２が形成されている。また、ゲート絶縁膜１２上には、選択的に半導体層３５が形成されており、半導体層３５に一部乗り上げるようにしてソース６ｂ及びドレイン３２が形成されている。また、ドレイン３２におけるソース６ｂの反対側には、ドレイン３２と一体に容量電極３１が形成されている。半導体層３５は、ゲート絶縁膜１２を介して走査線３ａと対向配置されており、該対向領域で走査線３ａがＴＦＴ３０のゲートとして機能するようになっている。容量電極３１は、ゲート絶縁膜１２を介して容量線３ｂと対向配置されており、容量電極３１と容量線３ｂとが対向する領域に、ゲート絶縁膜１２を誘電体膜とする蓄積容量が構成されている。
【００２５】
また、ＴＦＴ３０を覆って、層間絶縁膜１３が設けられており、容量電極３１上の層間絶縁膜１３を貫通して画素コンタクトホール４５が設けられている。画素コンタクトホール４５の内側、及び画素コンタクトホール４５周辺における層間絶縁膜１３上にソース電極１５が設けられている。ソース電極１５は、容量電極３１と直接接触してこれと導通するようになっている。また、本例のソース電極１５は、上面側から順にＴｉ層、Ａｌ層、Ｔｉ層の３層構造となっている。なお、ソース電極の材料としては、ＴｉＮ（チタンナイトライド）、Ｔａ（タンタル）、ＴａＮ（タンタルナイトライド）、Ｗ（タングステン）、Ｃｒ（クロム）等を用いることもでき、単層構造や２層構造、４層以上の多層構造としてもよい。
【００２６】
また、層間絶縁膜１３及びソース電極１５を覆って、保護膜１６が設けられている。保護膜の材料としては、ＳｉＮ（シリコン窒化物）やＳｉＯ２（シリコン酸化物）等を用いることができ、ここではＳｉＮからなり厚さが１００ｎｍ程度の保護膜１６を採用している。また、保護膜１６を覆って、凹凸形成層１７が設けられている。凹凸形成層の材料としては、ポジ型の感光性樹脂を用いることができ、具体的には、アクリル系樹脂やポリイミド系樹脂等が挙げられる。凹凸形成層１７は、反射表示領域Ｒにおいて透過表示領域Ｔよりも厚くなっており、反射表示領域Ｒと透過表示領域Ｔとで液晶層５０の厚さが異なるマルチギャップ構造を構成している。本例では、反射表示領域Ｒにおける液晶層５０の厚さ（例えば１．５μｍ）が、透過表示領域Ｔにおける液晶層５０の厚さ（例えば３．０μｍ）の半分となるようにしている。反射表示領域Ｒと透過表示領域Ｔとで、凹凸形成層１７の厚さが異なることにより、これら領域間で凹凸形成層１７の上面は、斜面となっている。また、反射表示領域Ｒにおいて凹凸形成層１７の上面側は、滑らかな波面状となっており、この部分を覆って反射層２９が設けられている。反射層２９の上面側も波面状となっており、反射層２９は、第２基板２０側から入射した光を反射するとともに散乱するようになっている。これにより、反射光の強度が均一化され、表示ムラを減らすことができる。
【００２７】
また、ソース電極１５上の凹凸形成層１７を貫通して開口部１８が設けられており、開口部１８の内壁、開口部１８内側のソース電極１５、及び凹凸形成層１７を覆って、画素電極９が設けられている。画素電極９は、ソース電極１５と接触してこれと導通するようになっている。すなわち、画素電極９は、ＴＦＴ３０のドレイン３２と導通するようになっている。また、画素電極９を覆って、例えばポリイミド等からなる配向膜１９が設けられている。
【００２８】
対向基板２０は、ガラスや石英、プラスチック等からなる透明基板２１を基体としてなり、透明基板２１の内面側（液晶層５０側）には、カラーフィルタ２２と、共通電極２３と、配向膜２５とが積層形成されている。共通電極２３は、ＩＴＯ等の透明導電材料からなり、複数の画素２００を覆って平面ベタ状に形成されたものである。配向膜２５は、例えばポリイミドからなるものであり、共通電極２３を覆って形成されている。
【００２９】
本例のカラーフィルタ２２は、遮光部２２１、２２４、色材部２２２、及び平坦化膜２２３を備えて構成されている。遮光部２２１は、遮光性を有する材料からなるものであり、具体的にはＣｒやＣｕ等の無機材料や、黒色に着色されたアクリル系樹脂等の有機材料等からなるものである。遮光部２２１は、凹凸形成層１７の上面が斜面となっている領域に対応させて設けられており、これによりこの領域が非表示領域Ｂとなっている。遮光部２２４は、ＴＦＴ３０や、走査線３ａ、データ線６ａ等が配置されている領域にも設けられており、この領域も非表示領域Ｂとなっている。色材部２２２は、ここを通る光を所望の色光として射出するためのものであり、フルカラー表示の液晶装置にあっては画素（サブ画素）ごとに、例えば赤、緑、青と対応するものが周期的に配置されている。平坦化層２２３は、色材部２２２と遮光部２２４との段差等を埋めて、カラーフィルタ２２の液晶層５０側を平坦化するものである。
なお、色材部は、その厚さを反射表示領域Ｒと透過表示領域Ｔとで変化させてもよく、これにより反射表示領域Ｒと透過表示領域Ｔとで色味を均一にすることができる。
【００３０】
以上のような構成の液晶装置１００は、データ線６ａからの画像信号をＴＦＴ３０でスイッチング制御することにより、複数の画素２００の画素電極９に個別に画像信号を伝達できるようになっている。画素電極９に画像信号が伝達されると、画素電極９と共通電極２３との間に所定の電界が印加されて、これら電極間の液晶分子は、電界に応じた方向を向くようになる。透過表示領域Ｔでは照明装置６１からの光が、第１基板１０側から第２基板２０側に向かう間に、液晶層５０により画像信号に応じて変調される。また、反射表示領域Ｒでは第２基板２０側からの光が、反射層２９に向かう間、及びこれに反射されて第１基板１０側に向かう間に、液晶層５０により画像信号に応じて変調される。
【００３１】
このように、反射表示領域Ｒを通る光は、反射前後で液晶層５０を２回透過するが、透過表示領域Ｔを通る光は液晶層５０を１回しか透過しない。本例の液晶装置１００は、凹凸形成層１７によりマルチギャップ構造となっており、反射表示領域Ｒと透過表示領域Ｔとで液晶層５０の実質的な厚さ、すなわちリタデーションが同じになるようにしている。これにより、反射表示領域Ｒと透過表示領域Ｔとで光透過率を均一にすることができる。変調された光が、偏光板２４等でフィルタリングされることにより、諧調表示が可能となっており、反射表示領域Ｒと透過表示領域Ｔとで光透過率が均一になっているので、表示ムラのない良好な表示が可能となっている。
【００３２】
次に、前記液晶装置１００の製造方法に基づいて、本発明に係る液晶装置の製造方法の一実施形態を説明する。以下、本発明の特徴部分を中心に説明する。
【００３３】
図４（ａ）〜（ｃ）、図５（ａ）〜（ｃ）は、本実施形態の液晶装置の製造方法を概略して示す断面工程図である。なお、図４（ａ）〜（ｃ）、図５（ａ）〜（ｃ）には、後に反射表示領域Ｒ、透過表示領域Ｔ、及び非表示領域Ｂとなる領域も図示している。以降、完成品の反射表示領域Ｒとなる領域を、製造過程においても単に反射表示領域Ｒと称する場合がある。また、透過表示領域Ｔ及び非表示領域Ｂについても同様である。
【００３４】
まず、図４（ａ）に示すように、例えば透明基板１１上に走査線３ａ及び容量線３ｂを形成し、走査線３ａ及び容量線３ｂを覆ってゲート絶縁膜１２を形成する。次いで、ゲート絶縁膜１２上に、選択的にＴＦＴ３０を形成し、ＴＦＴ３０を覆って層間絶縁膜１３を形成する。次いで、層間絶縁膜１３を貫通して画素コンタクトホール４５を形成する。次いで、画素コンタクトホール４５の内側を含んで層間絶縁膜１３上の全面に、Ｔｉ、Ａｌ、Ｔｉを順次成膜し、この多層膜をパターニングして画素コンタクトホール４５の内側、及び画素コンタクトホール４５周辺部における層間絶縁膜１３上にソース電極１５を形成する。これらは、公知の技術を用いて形成することができる。
【００３５】
次に、図４（ｂ）に示すように、ソース電極１５が形成された層間絶縁膜１３上に、プラズマＣＶＤ法やスパッタリング法等を用いてＳｉＮを成膜して、ソース電極１５を覆う保護膜１６を形成する。そして、保護膜１６上に、スピンコート法等の塗布法を用いてポジ型の感光性樹脂を成膜し、樹脂膜１７ａを形成する。樹脂膜１７ａは、後に凹凸形成層１７（図３参照）となる材料膜である。なお、ネガ型の感光性樹脂を用いた場合には、これを滑らかな形状に加工することが困難であることが知られており、反射表示領域における凹凸形成層の表層を滑らかな波面状とすることが困難である。
【００３６】
次に、図４（ｃ）に示すように、樹脂膜１７ａの所定位置を露光する。本実施形態では、ソース電極１５上の樹脂膜１７ａを露光してほぼ完全に可溶化するとともに、反射表示領域Ｒの樹脂膜１７ａの表層を部分的に露光する。具体的には、樹脂膜１７ａ上にフォトマスクＭ１を所定位置に位置決めし、これをセットする。フォトマスクＭ１は、例えばＣｒ等の遮光膜を形成したガラス板からなるもので、ソース電極１５と対応する部分が開口されているとともに、反射表示領域Ｒと対応する部分が半透過型のハーフマスクとなっているものである。ハーフマスクは部分的に光の透過率が変化するものであり、ここでは反射表示領域Ｒにおける凹凸形成層１７の上面を波面状とするために、波面状の凹となる部分と対応させて透過率を高くし、凸となる部分と対応させて透過率を低くする。
【００３７】
この他にも、ソース電極１５上の樹脂膜１７ａを通常同様に露光するとともに、反射表示領域Ｒの樹脂膜１７ａをオフセット露光するようにしてもよい。オフセット露光とは、対象物から離してフォトマスクを配置して行う露光であり、フォトマスクの開口で回折した光により、樹脂膜１７ａにおいて前記開口と対応する部分の周辺も露光される。このような光は、フォトマスクの開口より遠ざかるほど強度が低下するため、樹脂膜１７ａの表層は、フォトマスクの開口に近いほど厚く可溶化され、開口から遠ざかるにつれて薄く可溶化される。
【００３８】
前記の露光方法によれば、ソース電極１５上と反射表示領域Ｒとを一括して露光するので、効率よく露光できるとともに、開口部１８と反射表示領域Ｒと対応する部分の位置ずれを防止することもできる。なお、前記の露光方法の他に、開口部１８に対応した部分の露光と、反射表示領域Ｒに対応した部分の露光と、独立させて行ってもよい。この場合には、反射表示領域Ｒに対応した部分の露光として、ハーフマスクを用いた露光、オフコンタクト露光のいずれを用いてもよい。
【００３９】
次に、露光された樹脂膜１７ａを現像（ウエットエッチング）して、樹脂膜１７ａにおいて可溶化された部分を除去する。ソース電極１５上の樹脂膜１７ａは、ほぼ完全に可溶化されているので、この部分が完全に除去される。これにより、図５（ａ）に示すように、ソース電極１５上の保護膜１６を露出させる開口部１８を形成することができる。また、前記のように反射表示領域Ｒの樹脂膜１７ａは、その表層が部分的に可溶化されており、部分的に除去される。これにより、反射表示領域Ｒにおける樹脂膜１７ａの上面を滑らかな波面状とすることができる。
【００４０】
次に、図５（ｂ）に示すように、反射表示領域Ｒの樹脂膜１７ａを覆って、例えばレジストパターンを形成した後、透過表示領域Ｔの樹脂膜１７ａ、及び開口部１８内に露出した保護膜１６を一括してドライエッチングする。ドライエッチングのエッチングガスとしては、ＳＦ６、ＣＦ４、ＣＨ２Ｆ２、Ｃ２Ｆ８、Ｃ５Ｆ８等のうち１種又は２種以上からなる混合ガス、又はこれに酸素を加えたもの、さらにＨｅ等の不活性ガスを加えたもの等が挙げられる。
【００４１】
本実施形態では、ＳＦ６（第１ガス）、Ｏ２（第２ガス）、Ｈｅ（不活性ガス）からなる混合ガスをエッチングガスとして用いる。このようなエッチングガスを用いると、アクリル系樹脂からなる樹脂膜１７ａのエッチングレートは５００〜１５００ｎｍ／ｍｉｎ程度、ＳｉＮからなる保護膜１６のエッチングレートは１００〜５００ｎｍ／ｍｉｎ程度、上面側がＴｉからなるソース電極１５のエッチングレートは１０ｎｍ／ｍｉｎ以下となる。これらエッチングレートは、前記混合ガスの混合比を変化させることで制御可能であり、例えばＯ２の比率を高くすることにより  ソース電極１５に対する樹脂膜１７ａの選択比を高くすることができる。
【００４２】
以上のようなエッチングガスを用いて、例えば厚さが１００ｎｍ程度の保護膜１６を貫通させるとともに、樹脂膜１７ａの厚さを1．５μｍ程度薄くするようにドライエッチングする。ここでは、保護膜１６が貫通するまでは混合ガスにおけるＳＦ６の比率を高くして、保護膜１６に対する樹脂膜１７ａの選択比を低くしておき、保護膜１６ａが貫通した後は混合ガスにおけるＯ２の比率を高くしてソース電極１５に対する樹脂膜１７ａの選択比を高くする。このようにすれば、ソース電極１５のオーバーエッチ量を減らすことができ、表面荒れが少ない良好なソース電極１５とすることができるとともに、樹脂膜１７ａのエッチングレートを高くすることができ効率よくドライエッチングすることができる。
このようにして透過表示領域Ｔの樹脂膜１７ａを薄くすることができ、凹凸形成層１７を形成することができる。
【００４３】
通常は、凹凸形成層は、ポジ型の感光性樹脂からなる材料膜の反射表示領域に対応する部分と透過表示領域に対応する部分とを、一括して露光及び現像して形成されている。ポジ型の感光性樹脂を用いると、前記表層を滑らかな波面状に加工することができるが、この特徴により、反射表示領域と透過表示領域との間における凹凸形成層の上面が緩やかな斜面となってしまう。
ところが、本発明の方法では、透過表示領域Ｔの樹脂膜１７ａをドライエッチングにより薄くするので、凹凸形成層１７の反射表示領域と透過表示領域との間の斜面が、第１基板１０の基板面に対して高角度をなすように凹凸形成層１７を形成することができる。
【００４４】
次に、図５（ｃ）に示すように、反射表示領域Ｒの凹凸形成層１７上に反射層２９を形成するとともに、反射表示領域Ｒの凹凸形成層１７上、透過表示領域Ｔの凹凸形成層１７、及び露出したソース電極１５上に画素電極９を形成する。反射層や画素電極の形成方法としては、反射表示領域Ｒの凹凸形成層１７上に導電性の反射層を形成した後、この反射層を覆うとともに透過表示領域Ｔの凹凸形成層１７及びソース電極１５上を覆う画素電極を形成する方法や、反射表示領域Ｒの凹凸形成層１７上に絶縁性の反射層を形成した後、この反射層を覆うとともに透過表示領域Ｔの凹凸形成層１７及びソース電極１５上を覆う画素電極を形成する方法、反射表示領域Ｒの凹凸形成層１７上に導電性の反射層を形成してこれを反射表示領域Ｒにおける画素電極とし、次いで例えばこの反射層と導通するとともに透過表示領域Ｔの凹凸形成層１７及びソース電極１５上を覆う画素電極を形成する方法等が挙げられる。
【００４５】
前記導電性の反射層は、アルミニウムや銀等の光反射性の金属をスパッタリング法や蒸着法等で成膜した後、この膜をパターニングすること等で形成することができる。また、前記絶縁性の反射膜は、屈折率の異なる誘電体膜（ＳｉＯ２とＴｉＯ２等）を順次形成した後、この積層膜をパターニングすることで形成することができる。また、導電性の反射層を反射表示領域Ｒにおける画素電極とする場合には、この反射層と、透過表示領域Ｔの凹凸形成層１７上及びソース電極１５上の画素電極と、が非表示領域Ｂにて重なり合うようにすれば、これらを導通させることができる。
【００４６】
本実施形態では、反射表示領域Ｒの凹凸形成層１７上にアルミニウムを蒸着法で成膜して反射膜２９を形成し、次いで反射層２９上、透過表示領域Ｔの凹凸形成層１７上、及びソース電極１５上に連続させて、ＩＴＯをスパッタリング法で成膜して画素電極９を形成する。反射層２９は、その下地部分の凹凸形成層１７の上面が滑らかな波面状となっているので、波板状に形成されてその上面側が滑らかな波面状となる。また、前記した形成方法によっても同様に、反射層の上面側を波面状とすることができる。
また、画素電極９を形成した後、この上に配向膜１９等を形成するとともに、透明基板１１の底面側に、位相差板７１や偏光板１４等を貼設すること等により第１基板１０を形成することができる。
【００４７】
また、図示しないが、第１基板１０と独立して第２基板２０を形成する。第２基板２０は、透明基板２１上にカラーフィルタ２２、共通電極２３、配向膜２５等を形成するとともに、透明基板２１の底面側に位相差板７２や偏光板２４等を貼設することにより得られる。これらは、公知の技術を用いて形成することができる。なお、カラーフィルタ２２の遮光部２２１は、凹凸形成層１７において上面が傾斜した部分と対応させて、すなわちこの部分が完成時に遮光部２２１と重なり合うように、形成する。遮光部２２１が形成されたことにより、反射表示領域Ｒと透過表示領域Ｔとの間が非表示領域Ｂとなる。
そして、第１基板１０と第２基板２０とを、それぞれの配向膜１９、２５が内側となるように貼合わせ、これら基板間に液晶層５０を封止する。また、第１基板１０の外側に照明装置６１を設けること等により、図３に示した液晶装置１００が得られる。
【００４８】
以上のような本発明の液晶装置の製造方法によれば、ソース電極１５上の保護膜１６と透過表示領域Ｔの樹脂膜１７ａとを一括してドライエッチングしているので、工程数を増やすことなく樹脂膜１７ａをドライエッチングすることができる。ドライエッチングによれば、反射表示領域Ｒと透過表示領域Ｔとの間における凹凸形成層１７の上面が、露光及び現像によるものよりも、第１基板１０の基板面に対して高角度をなす斜面となるように、凹凸形成層１７を形成することができる。したがって、この斜面と対応する遮光部２２１の面積が小さくなり、非表示領域Ｂが狭くなる。このようにして良好な表示品質の液晶装置１００を形成することができる。また、ポジ型の感光性樹脂で凹凸形成層１７を形成しているので、反射表示領域Ｒにおける凹凸形成層１７の上面を滑らかな波面状とすることができ、上面が波面状の反射層２９を形成することができる。波面状の反射層２９は、光を反射するとともに散乱するので、反射光の強度が均一になり、表示ムラを低減することができる。このように、高い表示品質の液晶装置１００を形成することができる。
【図面の簡単な説明】
【００４９】
【図１】本発明の液晶装置における画素の等価回路図である。
【図２】２つ画素を拡大して示す平面構成図である。
【図３】図２のＡ−Ａ’線矢視断面図である。
【図４】（ａ）〜（ｃ）は、液晶装置の製造方法を概略して示す断面工程図である。
【図５】（ａ）〜（ｃ）は、図４（ａ）〜（ｃ）に続く断面工程図である。
【符号の説明】
【００５０】
１０・・・第１基板、１１、２１・・・透明基板（基板）、１２・・・ゲート絶縁膜、１３・・・層間絶縁膜、１５・・・ソース電極、１６・・・保護膜、１７・・・凹凸形成層、１７ａ・・・樹脂膜、１８・・・開口部、２０・・・第２基板、２２・・・カラーフィルタ、２２１、２２４・・・遮光部、２３・・・共通電極、５０・・・液晶層、１００・・・液晶装置、２００・・・画素、Ｒ・・・反射表示領域、Ｔ・・・透過表示領域。
【図１】
2009122601.tif 000003
【図２】
2009122601.tif 000004
【図３】
2009122601.tif 000005
【図４】
2009122601.tif 000006
【図５】
2009122601.tif 000007